(57)【要約】【課題】  上板の強度を補強する一方で、本体内部に配線される電線の固定作業をより容易にしたドラム洗濯機を提供する。【解決手段】  本発明のドラム洗濯機は、上部に開口部を有する本体と、該開口部を覆う上板と、該上板を支持し補強するように前記開口部に設置された補強部材と、を含み、前記補強部材には本体内部に配線された電線を固定支持するための電線保持部が設けられる。したがって、本発明によれば、前記補強部材により上板の強度が補強される一方で、本体内部の電線の固定支持がより容易になる。【選択図】図２
2005137890.tif 000002
【特許請求の範囲】
【請求項１】
上部に開口部を有する本体と、
該開口部を覆う上板と、
該上板を支持し補強するように前記開口部に設置された補強部材と、
を含むことを特徴とするドラム洗濯機。
【請求項２】
前記本体の内部に配線される電線と、
前記電線を固定支持するように前記補強部材に設けられた電線保持部と、
をさらに含むことを特徴とする請求項１に記載のドラム洗濯機。
【請求項３】
前記補強部材は、
前記開口部を横切って前記本体に結合される支持板と、
前記上板の背面を支持するように前記支持板の両側端から上方に延在する側面板と、
を備えることを特徴とする請求項１に記載のドラム洗濯機。
【請求項４】
前記電線保持部は、複数個で構成されることを特徴とする請求項２に記載のドラム洗濯機。
【請求項５】
前記補強部材は、
前記開口部を横切って前記本体に結合される支持板と、
前記上板の背面を支持するように前記支持板の両側端から上方に延在する側面板と、
を備えることを特徴とする請求項２に記載のドラム洗濯機。
【請求項６】
前記電線保持部は、
前記電線が挿入されるように、前記各側面板に上部が開放されるように形成された挿入溝と、
該挿入溝に挿入された電線を固定するように前記挿入溝に形成された電線止めと、
を含むことを特徴とする請求項５に記載のドラム洗濯機。
【請求項７】
前記電線止めは、前記挿入溝の開放部の幅が前記挿入溝の幅より小さくなるように、前記挿入溝の開放部の端部に前記側面板と一体に設けられたことを特徴とする請求項６に記載のドラム洗濯機。
【請求項８】
前記支持板には排水穴がさらに形成されることを特徴とする請求項３に記載のドラム洗濯機。
【請求項９】
前記支持板には排水穴がさらに形成されたことを特徴とする請求項６に記載のドラム洗濯機。
【請求項１０】
前記支持板は、前記本体の前面と後面を連結するように設けられたことを特徴とする請求項６に記載のドラム洗濯機。
【請求項１１】
前記電線止めは、前記開放部の幅が前記電線の厚さよりも大きくなるように設けられたことを特徴とする請求項７に記載のドラム洗濯機。
【請求項１２】
ドラム洗濯機の上部の開口部に結合される上板を支持し補強し、ドラム洗濯機を動作させる電線が受容される補強部材を有するドラム洗濯機において、前記補強部材が、
前記開口部を横切って延在する支持板と、
該支持板から上方に延在して前記上板を支持する側面板と、
該側面板にそれぞれ設けられ、電線を固定支持する電線保持部と、
を含むことを特徴とするドラム洗濯機。
【請求項１３】
複数のボタンを有し、ドラム洗濯機の動作状態を制御する制御盤と、
ドラム洗濯機に洗濯水を供給する給水バルブと、
ドラム洗濯機内部の水位を感知する水位感知センサーと、をさらに含み、
前記制御盤、給水バルブ及び水位感知センサーは電線を介して接続されることを特徴とする請求項１２に記載のドラム洗濯機。
【請求項１４】
前記側面板は、前記支持板と一体に形成されることを特徴とする請求項１３に記載のドラム洗濯機。
【請求項１５】
ドラム洗濯機の後面上端に設けられる係合穴と、
前記後面に隣接する支持板の後端に設けられる係止突部と、をさらに含み、前記支持板はドラム洗濯機の前面とねじ結合され、前記係止突部は前記係合穴に挿入されることを特徴とする請求項１２に記載のドラム洗濯機。
【請求項１６】
前記電線保持部はそれぞれ、
前記側面板に形成される挿入溝と、
該挿入溝の上部に形成されて電線が挿入される開放部と、
挿入溝に挿入される電線を固定させるべく挿入溝の端部に設けられる電線止めと、を含むことを特徴とする請求項１２に記載のドラム洗濯機。
【請求項１７】
前記各電線保持部は、両側面板に配置されることを特徴とする請求項１２に記載のドラム洗濯機。
【請求項１８】
前記電線の一端側が両側面板のいずれか一方の挿入溝に挿入され、他端側が残りの挿入溝に挿入されることを特徴とする請求項１７に記載のドラム洗濯機。
【請求項１９】
前記一端側及び他端側間の電線が、補強部材の支持板及び側面板と上板とがなす空間に受容されることを特徴とする請求項１８に記載のドラム洗濯機。
【請求項２０】
前記電線止めは、前記挿入溝の開放部の幅が前記挿入溝の幅より小さくなるように、前記挿入溝の開放部の端部に前記側面板と一体に設けられたことを特徴とする請求項１６に記載のドラム洗濯機。
【請求項２１】
前記開放部の幅が前記電線の厚さよりも大きく形成され、前記電線が開放部を通して前記挿入溝に容易に着脱されるようにすることを特徴とする請求項２０に記載のドラム洗濯機。
【請求項２２】
前記支持板に支持板を貫通する排水穴が形成され、補強部材の内部に水が溜まるとその水が補強部材外に円滑に排水されるようにすることを特徴とする請求項１２に記載のドラム洗濯機。
【請求項２３】
ドラム洗濯機の上部の開口部に結合される上板を支持し補強し、ドラム洗濯機を動作させる電線が受容される補強部材を有するドラム洗濯機において、前記補強部材が、
前記開口部を横切って延在する支持板と、
該支持板から上方に延在して前記上板を支持する側面板と、
両側面板に設けられ、両側面板、支持板及び上板の背面により形成される空間に受容される電線を固定する電線保持部と、
を含むことを特徴とするドラム洗濯機。
【請求項２４】
ドラム洗濯機の上部の開口部に結合される上板を支持し補強し、ドラム洗濯機を動作させる電線が受容されるドラム洗濯機の補強部材が、
前記開口部の一部を横切って延在するベイを形成する凹部を有し、前記開口部を横切って延在する支持板と、
該支持板から上方に延在して前記上板を支持する側面板と、
両側面板に設けられ、前記ベイに受容される電線を固定する電線保持部と、
を含むことを特徴とするドラム洗濯機。
【請求項２５】
載置物を支持する上板により覆われるドラム洗濯機の上部の開口部上に、側面板を有する補強部材を結合する方法であって、
ドラム洗濯機の前面と後面に補強部材の両端を固定する段階と、
補強部材の側面板に設けられた電線保持部にその開放部を通して電線を挿入する段階と、
補強部材上に上板を設置する段階と、
を含むことを特徴とする方法。
【発明の詳細な説明】
【技術分野】
【０００１】
本発明は、ドラム洗濯機に関し、より詳細には、本体上部に結合される上板の強度を補強する一方で、本体内部に配線される電線の固定作業をより容易にしたドラム洗濯機に関する。
【背景技術】
【０００２】
一般に、ドラム洗濯機は、回転槽の回転に伴って洗濯物と洗濯水が回転槽の底部から上部に持ち上げられて落下しつつお互い接触する方式で洗濯を行う装置であって、上部が開放された本体を含み、該本体の上部には、開放された本体上部を覆う上板が結合される。
【０００３】
また、本体の内部には洗濯水が満たされる水槽が設けられ、この水槽内部には前記回転槽が回転自在に設置され、回転槽には、水槽内部の洗濯水が回転槽内部を流動するように多数個の穴が開いている。
【０００４】
そして、本体の前面には、回転槽内部に洗濯物を投入するために形成された投入口と、左右回動しつつ前記投入口を開閉するドアが取り付けられ、本体内に設けられた前記水槽の上部には、水槽内に洗濯水を供給するために設けられた多数個の給水バルブと、水槽内に満たされた洗濯水の高さを感知するための水位感知センサーなどが取り付けられている。
【０００５】
また、投入口上側の本体前面には多数個の操作ボタンが備えられた制御盤が設置され、使用者はこれら操作ボタンを押してドラム洗濯機の動作を制御する。また、洗い行程、すすぎ行程、脱水行程などの各洗濯行程に応じて適正量の洗濯水が水槽内に給水されるとともに、水槽内部の水位が適正水準に保たれるように、前記各給水バルブ及び水位感知センサーは前記制御盤と電線を介して接続され、互いに電気的信号を取り交すようになっている。
【０００６】
次に、このように構成された従来のドラム洗濯機の動作を説明する。まず、回転槽内に洗濯物を入れたのち、制御盤の操作ボタンを操作すると給水装置の給水バルブが開いて水槽内に水が供給される。この状態で、回転槽が回転すると、回転槽の底部に置かれていた洗濯物が洗濯水と共に上部に持ち上げられ重力により落下する。このとき、水槽内部の水位は、前記水位感知センサーで感知されて制御盤に送られ、常に所定水位が維持されるようにする。
【０００７】
一方、上部にドアが取り付けられる一般の洗濯機とは違い、ドラム洗濯機は前面にドアが取り付けられることから、本体の上に乾燥器などの家電用品を載せておくことができるが、この場合、本体の上部に結合される前記上板は、本体上部に載せられる製品により歪んだり損なわれたりする恐れがあった。にもかかわらず、従来のドラム洗濯機には上板の強度を補強するための何の構造も備えられていなかった。
【０００８】
また、水槽は、洗濯時に回転槽の回転により振動することになる。こうなると、各給水バルブや水位感知センサーなどと制御盤との間を連結する電線が水槽に触れ、電線の短絡及び破損を招く恐れもあった。
【０００９】
そこで、従来では、本体内壁の所定箇所に電線固定部材を設置し、これら各電線固定部材には電線を結んで固定するためのケーブルタイを設けていた。
【００１０】
しかしながら、このような従来のドラム洗濯機の電線固定構造は、多数の電線固定部材及びケーブルタイを本体内壁の数箇所に設置するだけに、電線固定部材及びケーブルタイの設置作業に時間がかかり、電線固定作業が難しくなる、という問題点があった。
【発明の開示】
【発明が解決しようとする課題】
【００１１】
本発明は、上記の問題点に鑑みてなされたものであり、上板の強度を補強する一方で、本体内部に配線される電線をより容易に固定させるようにしたドラム洗濯機を提供することを目的とする。
【課題を解決するための手段】
【００１２】
上記の目的を達成すべく、本発明によるドラム洗濯機は、上部に開口部を有する本体と、該開口部を覆う上板と、該上板を支持し補強するように前記開口部に設置された補強部材と、を含むことを特徴とする。
【００１３】
前記本体の内部には電線が配線され、前記補強部材には前記電線を固定支持する電線保持部が設けられる。
【００１４】
また、前記補強部材は、前記開口部を横切って前記本体に結合される支持板と、前記上板の背面を支持するように前記支持板の両側端から上方に延在する側面板と、を備えることを特徴とする。
【００１５】
また、前記電線保持部は、複数個で構成される。
【００１６】
前記補強部材は、前記開口部を横切って前記本体に結合される支持板と、前記上板の背面を支持するように前記支持板の両側端から上方に延在する側面板と、を備え、前記電線保持部は、前記電線が挿入されるように、前記各側面板に上部が開放されるように形成された挿入溝と、該挿入溝に挿入された電線を固定するように前記挿入溝に形成された電線止めと、を含むことを特徴とする。
【００１７】
前記電線止めは、前記挿入溝の開放部の幅が前記挿入溝の幅より小さくなるように、前記挿入溝の開放部の端部に前記側面板と一体に設けられる。
【００１８】
前記支持板には排水穴がさらに形成されることを特徴とする。
【００１９】
前記支持板は、前記本体の前面と後面を連結するように設けられたことを特徴とする。
【００２０】
前記電線止めは、前記開放部の幅が前記電線の厚さよりも大きくなるように設けられたことを特徴とする。
【発明の効果】
【００２１】
以上で詳細に説明した通り、本発明によるドラム洗濯機は、電線保持部の設けられた補強部材が、本体の上部開口部に設置され、この補強部材は本体の上部に結合される上板を支持し補強する。
【００２２】
したがって、本発明によれば、ドラム洗濯機に補強部材が備えられ、これにより、本体内部の電線の固定支持がより容易になると同時に、上板の強度が補強され、結果としてドラム洗濯機の全体的な信頼性が向上する、という効果が得られる。
【発明を実施するための最良の形態】
【００２３】
以下、本発明の好ましい一実施形態を図面を参照して詳細に説明する。図面中、同一の構成要素には可能な限り同一の参照符号及び番号を共通使用するものとする。
【００２４】
本発明によるドラム洗濯機は、図１に示すように、外観を形成するとともに、上部に開口部１１が形成された本体１０を備え、この本体１０の上部には、開口部１１を覆うための上板２０が結合される。
【００２５】
本体１０の内部には洗濯水が満たされる水槽１２が設置され、水槽１２の内部には、水槽１２側の洗濯水が流動されるように多数個の穴が開いた回転槽(図示せず)が回転自在に設置され、本体１０の一端側には回転槽(図示せず)を回転させる駆動モータ(図示せず)が設置される。
【００２６】
また、本体の前面には回転槽の内部に洗濯物を投入できるように形成された投入口(図示せず)と、左右に回動しつつ投入口(図示せず)を開閉するドア３０が取り付けられ、投入口(図示せず)上側の本体１０の前面上端には、ドラム洗濯機を全般的に操作するための多数個の操作ボタン１３ａが備えられた制御盤１３が設置される。
【００２７】
また、本体１０の上部後方には、外部給水栓から供給された洗濯水を水槽１２内に供給するための多数個の給水バルブ４０が設けられるが、各給水バルブ４０は、本体１０の上部前方に設けられた洗剤容器１４と連結ホース１５を介して連結される。したがって、連結ホース１５を通して洗剤容器１４に供給された洗濯水は、洗剤と共に給水管(図示せず)を通して水槽１２内部に供給される。
【００２８】
また、給水バルブ４０の一端側には、水槽１２内部の洗濯水の高さを感知するための水位感知センサー５０が取り付けられ、これら水位感知センサー５０及び各給水バルブ４０が前記制御盤１３に接続されるように、水位感知センサー５０及び各給水バルブ４０と制御盤１３との間には電線６０が連結される。
【００２９】
このような構造を有するドラム洗濯機において、制御盤１３の操作ボタン１３ａを操作すると、各給水バルブ４０は、該当する電線６０を通して前記制御盤１３から送られてきた電気的信号に応じて制御される。これにより、洗い行程、すすぎ行程、脱水行程などの各洗濯行程に応じて水槽１２に適正量の水が供給され、したがって、水槽１２の内部水位は各洗濯行程に応じて常に適正に保持される。
【００３０】
一方、上部にドア３０が取り付けられる一般の洗濯機とは違い、ドラム洗濯機は前面にドア３０が取り付けられることから、本体１０の上に乾燥器などの家電用品を載せておくことができるが、この場合、本体１０の上部に結合される前記上板２０は、本体１０の上部に載せられる家電用品により歪んだり損なわれたりする恐れがある。
【００３１】
そこで、本発明によるドラム洗濯機本体１０の開口部１１には、前記上板２０の強度を補強する補強部材７０が設けられる。
【００３２】
補強部材７０は、図２に示すように、開口部１１の中央部を横切って前記本体１０の前面と後面を連結するように本体１０に結合される支持板８０と、支持板８０の左右側の両端部から上方に延在するとともに、支持板８０と一体に形成される１対の側面板９０とを備える。
【００３３】
支持板８０が本体１０の前面と後面において各々固定されるように、支持板８０の先端とこれに対応する本体１０の前面上端の部分には各々ビス１００を締め込むための締付穴８１，１６が形成され、支持板８０の後端とこれに対応する本体１０の後面上端の部分には各々係止突部８２と係合穴１７が形成される。したがって、支持板８０の係止突部８２が本体１０の後面の係合穴１７に係合されるように挿入された状態で、支持板８０と本体１０前面の各締付穴８１，１６にビス１００を締め込むと、支持板８０が本体１０に固定され、これで補強部材７０が開口部１１に設置される。
【００３４】
このような係止突部８２と係合穴１７とは幾つかの方法で結合されることができる。すなわち、図２に示すように、係止突部８２の前端８２ａを係合穴１７に単純に挿入してもよく、上方へ延在するフランジ(図示せず)を係合穴１７に備え、係止突部８２の前端８２ａがより堅実に固定されるようにしてもいい。
【００３５】
この場合、前記支持板８０の両側面の端部から上側へ延在する側面板９０は、前記上板２０の背面を支え、これにより、上板２０の強度が補強される。
【００３６】
すなわち、前記補強部材７０を本体１０の開口部１１に設置すると、前記側面板９０の上端に上板２０の背面が支持されつつ上板２０が結合されるため、補強部材７０により上板２０の強度は補強されるようになる。したがって、補強部材７０により強度が補強された上板２０は、その上部に乾燥器などの家電用品を載せておいても歪んだり破損したりすることがない。
【００３７】
本発明の他の利点を説明すると、下記の通りである。水槽１２は、洗濯時に回転槽の回転により振動し、このように振動する水槽１２に、各給水バルブ４０や水位感知センサー５０などと制御盤１３とを接続する前記電線６０が触れると、電線６０の短絡及び破損につながる恐れがある。
【００３８】
そこで、補強部材７０は、上板２０の強度を補強させる一方で、電線６０を固定支持するために設けられた電線保持部９１を備えて電線６０を固定支持する機能を担う。より詳細に説明すると、各電線保持部９１は、電線６０が挿入されるように各側面板９０に設けられ、上部に開放部９４が形成された挿入溝９２と、挿入溝９２に挿入される電線を固定させるべく挿入溝９２の端部に設けられた電線止め９３とを含んで構成される。
【００３９】
この電線保持部９１は、右側面板９０の前方側と左側面板９０の後方側にそれぞれ設けられ、よって、両電線保持部９１の間において電線６０は各側面板９０との間に受容される。
【００４０】
したがって、各給水バルブ４０及び水位感知センサー５０と制御盤１３とを連結する前記電線６０は、一端側と他端側が各々前記側面板９０の各挿入溝９２に挿入され、各挿入溝９２間の電線６０が各側面板９０間の補強部材７０の内部に受容され、補強部材７０により支持される。
【００４１】
また、前記各挿入溝９２に挿入された電線６０を固定する前記電線止め９３は、挿入溝９２の開放部９４の幅が挿入溝９２の幅よりも小さくなるように、挿入溝９２の開放部９４側において側面板９０と一体に設けられる。したがって、挿入溝９２に挿入される電線６０は、この電線止め９３に係止され、しっかり固定される。
【００４２】
また、前記電線止め９３は、前記挿入溝９２の開放部９４の幅が前記電線６０の厚さよりも大きく形成されることが好ましいが、これは、前記電線６０を初めて設置する場合や、ドラム洗濯機のメンテナンスなどのために補強部材７０から電線６０を外す場合などに前記電線６０が開放部９４を通して前記挿入溝９２に容易に着脱されるようにするためである。
【００４３】
また、少なくとも電線６０が受容される部分における支持板８０の上板からの深さは、残りの支持板８０のそれより大きく形成する。すなわち、各側面板９０に設けられる電線保持部９１の間に該当する支持板８０の領域は、電線６０が受容される補強部材７０のベイ(bay)９０ａとして機能する。
【００４４】
このように本発明によるドラム洗濯機は、上板２０の強度を補強するように本体１０上部の開口部１１に設置される補強部材７０に電線固定のための電線保持部９１が形成されるため、補強部材７０を本体１０上部の開口部１１に設置すると、上板２０の強度が補強されると同時に、本体１０内部の電線６０の固定準備作業が完了し、この状態で、電線６０を補強部材７０の電線保持部９１にかけるだけで、電線６０の固定作業が完了する。
【００４５】
また、前記支持板８０の所定箇所には、支持板８０を貫通する排水穴８３が形成されるが、これら排水穴８３は、補強部材７０の内部に湿気などにより水が溜まる場合、この水が補強部材７０外に円滑に排水されるようにする。
【００４６】
このように本発明による補強部材７０は、本体１０内部に配線される電線６０の固定作業をより容易にすると同時に、上板２０の強度を補強させる機能も担い、結果として、ドラム洗濯機の信頼性がより向上する。
【００４７】
次に、本発明によるドラム洗濯機の動作及び作用について説明する。
【００４８】
まず、補強部材７０を本体１０の開口部１１に設置し、各側面板９０の挿入溝９２に形成された開放部９４を通して電線６０を挿入したのち、挿入溝９２に挿入された電線６０を電線止め９３に係止させる。このとき、各電線保持部９２間の電線６０は、補強部材７０の両側面板９０間の空間に受容され、本体１０に容易に固定支持される。
【００４９】
そして、ドラム洗濯機のメンテナンスなどのために前記電線６０を補強部材７０から外したい場合には、上板２０を分離した状態で、挿入溝９２に挿入された電線６０を挿入溝９２の開放部９４側に移し、電線６０を挿入溝９２から取り外す。これで、電線６０の固定が解除され、よって、補強部材７０内部に受容された電線６０が補強部材７０から容易に分離されるようになる。ドラム洗濯機のメンテナンス作業が完了すると、上述の方式と同様にして補強部材７０に電線６０を固定させればいい。
【００５０】
前記補強部材７０は、上板２０を支持できるように本体１０の開口部１１上に設置されるため、補強部材７０が設置された状態で本体１０の上部に上板２０を結合すると、補強部材７０の各側面板９０の上端に上板２０の背面が支持され、上板２０の強度が補強される。
【００５１】
このように本発明によるドラム洗濯機は、前記本体１０の開口部１１に設置される補強部材７０により、本体１０内部に配線される電線６０の固定支持が容易になる一方で、前記上板２０の強度も補強されるため、全般的な信頼性が向上するようになる。
【００５２】
本実施形態では、電線保持部９１を各側面板９０の前方や後方側に設けたが、これら電線保持部９１は、前記各給水バルブ４０及び水位感知センサー５０などの部品や制御盤１３の位置が変わる場合、これに対応して様々な位置に設けられてもよく、また、前記電線保持部９１を各側面板９０に複数個ずつ設けて前記電線６０の長さ変化に対応できるようにしてもいい。
【００５３】
以上では本発明の具体例について説明したが、本発明は、この具体例に限定されず、本発明の思想を外れない限度内で様々な変更実施が可能であることは、当該技術分野で通常の知識を持つ者にとって明らかである。
【図面の簡単な説明】
【００５４】
【図１】本発明による洗濯機の全体的な構造を示す斜視図であって、上板を分離して示した図である。
【図２】本発明によるドラム洗濯機の要部を抜粋して示す要部斜視図である。
【符号の説明】
【００５５】
７０  補強部材
８０  支持板
８１，１６  締付穴
８２  係止突部
１７  係合穴
９０  側面板
９１  電線保持部
９２  挿入溝
９３  電線止め
９４  開放部
【図１】
2005137890.tif 000003
【図２】
2005137890.tif 000004